(57)【要約】【課題】蓄電池に対する不要な充電を実施しないように充電情報を算出する充電情報算出装置を提供する。【解決手段】充電情報算出装置である集配拠点サーバ２０は、荷物を配送する所定期間において、冷凍庫１１の温度を維持するのに必要な必要電力量を算出する必要量算出部２１と、蓄電池１４の充放電状態を取得し、蓄電池１４に対する充電の必要性を判定する充電判定部２３と、を備える。必要量算出部２１は、配送車両１０を用いた配送に関する情報に基づいて必要電力量を算出し、充電判定部２３は、蓄電池１４の電池残量と必要電力量との差分に基づいて、必要性を判定する。【選択図】図１
2017068946.tif 000002
【特許請求の範囲】
【請求項１】
充電情報算出装置（２０）であって、
冷凍庫（１１）を搭載した配送車両（１０）を用いて荷物を配送する所定期間において、前記冷凍庫の温度を維持するのに必要な必要電力量を算出する必要量算出部（２１）と、
前記冷凍庫を冷却する冷凍機に電力を供給する蓄電池（１４）の充放電状態を取得し、前記蓄電池に対する充電の必要性を判定する充電判定部（２３）と、を備え、
前記必要量算出部は、前記配送車両を用いた配送に関する情報に基づいて前記必要電力量を算出し、
前記充電判定部は、前記蓄電池の電池残量と前記必要電力量との差分に基づいて前記必要性を判定する、充電情報算出装置。
【請求項２】
前記充電判定部は、前記蓄電池の電池残量が前記必要電力量よりも少ない場合に前記蓄電池に対する充電が必要だと判定し、前記蓄電池の電池残量が前記必要電力量以上である場合に前記蓄電池に対する充電が不要だと判定する、請求項１に記載の充電情報算出装置。
【請求項３】
前記充電判定部は、前記蓄電池の電池残量が前記必要電力量よりも少ない場合に、前記蓄電池の電池残量が少なくとも前記必要電力量を上回るように充電量を決定する、請求項２に記載の充電情報算出装置。
【請求項４】
前記必要量算出部は、前記所定期間における配送先の天候、前記配送先の階高、前記配送先に配送される荷物の分量、及び過去に前記蓄電池が放電した放電電力量の少なくとも一つに基づいて前記必要電力量を算出する、請求項１から３のいずれか１項に記載の充電情報算出装置。
【請求項５】
前記必要量算出部は、前記配送車両の駆動力源であるエンジンが停止されている間における前記冷凍庫の熱損失を算出することで前記必要電力量を算出する、請求項４に記載の充電情報算出装置。
【請求項６】
前記必要量算出部は、前記冷凍庫の熱損失分を補って前記冷凍庫内を冷却するのに必要な電力量を前記必要電力量とする、請求項５に記載の充電情報算出装置。
【請求項７】
前記配送車両ごとにおける前記必要性の判定結果を前記配送車両に関連付けて出力する通信部（２２）を更に備える、請求項１から６のいずれか１項に記載の充電情報算出装置。
【請求項８】
前記通信部は、前記必要性の判定結果を前記配送車両に送信する、請求項７に記載の充電情報算出装置。
【発明の詳細な説明】
【技術分野】
【０００１】
本発明は、配送車両に搭載された冷凍庫を冷却する冷凍機に電力を供給する蓄電池の充電情報を算出する充電情報算出装置に関する。
【背景技術】
【０００２】
従来、庫内の荷物を低温に維持して配送を行う冷凍車・保冷車が知られている。このような配送車両においては、エンジン停止中でもコンプレッサ等の負荷を駆動できるように、負荷に対して電力を供給する蓄電池が搭載されたものがある。蓄電池が搭載された配送車両を対象とした充電制御システムとして、例えば特許文献１に記載の車載用蓄電池の充電システムがある。この充電システムは、車両に搭載される車載用蓄電池と、車載用蓄電池から供給される電流で駆動する負荷と、車載用蓄電池の充電を制御する制御手段とを含んで構成されている。この充電システムでは、外部の充電装置を用いて車載用蓄電池を充電する際に負荷が駆動している場合には、車載用蓄電池の充電に要する電流と、負荷の駆動に要する電流とを合計した合計電流が充電装置から車載用蓄電池に供給されるようになっている。
【先行技術文献】
【特許文献】
【０００３】
【特許文献１】特開２０１３−９９５８号公報
【発明の概要】
【発明が解決しようとする課題】
【０００４】
上述のような配送車両では、配送開始前に蓄電池を充電装置に接続して蓄電池の充電が実施される。現状、一定の時間帯に蓄電池の充電を実施する際には、蓄電池が満充電状態となるまで充電が行われている。しかしながら、このような充電手法では、蓄電池に対して必要以上に充電がなされ、電力の無駄が生じてしまうおそれがある。また、不要な充電作業が行われることで、蓄電池の寿命を早めてしまうおそれもある。更に、配送車両は配送に出発する前に蓄電池に充電する必要があるため、配送効率化の観点からも蓄電池に対する充電は必要最小限に留めたいとのニーズがある。
【０００５】
本発明はこのような課題に鑑みてなされたものであり、蓄電池に対する不要な充電を実施しないように充電情報を算出する充電情報算出装置を提供することを目的とする。
【課題を解決するための手段】
【０００６】
上記課題を解決するために、本発明に係る充電情報算出装置は、  充電情報算出装置（２０）であって、冷凍庫（１１）を搭載した配送車両（１０）を用いて荷物を配送する所定期間において、冷凍庫の温度を維持するのに必要な必要電力量を算出する必要量算出部（２１）と、冷凍庫を冷却する冷凍機に電力を供給する蓄電池（１４）の充放電状態を取得し、蓄電池に対する充電の必要性を判定する充電判定部（２３）と、を備える。必要量算出部は、配送車両を用いた配送に関する情報に基づいて必要電力量を算出し、充電判定部は、蓄電池の電池残量と必要電力量との差分に基づいて蓄電池充電の必要性を判定する。
【０００７】
本発明によれば、必要量算出部が配送車両を用いた配送に関する情報に基づいて、所定期間内において冷凍庫の温度を維持するのに必要となる必要電力量を算出するので、所定期間内の配送状況に応じた必要電力量を算出することができる。充電判定部は、このように配送状況に応じて算出された必要電力量と蓄電池の電池残量との差分に基づいて蓄電池充電の必要性を判定するので、所定期間内に使用されると推定される電力量に応じた蓄電池充電の必要性判定が可能となる。蓄電池に対し充電の必要性に応じて蓄電することができるので、充電時間が配送前の短い時間に限られており、充電装置に対して配送車両が多い場合にもより効率的に対応することが可能となる。
【０００８】
尚、「課題を解決するための手段」及び「特許請求の範囲」に記載した括弧内の符号は、後述する「発明を実施するための形態」との対応関係を示すものであって、「課題を解決するための手段」及び「特許請求の範囲」に記載の発明が、後述する「発明を実施するための形態」に限定されることを示すものではない。
【発明の効果】
【０００９】
本発明によれば、蓄電池に対する不要な充電を実施しないように充電情報を算出する充電情報算出装置を提供することができる。
【図面の簡単な説明】
【００１０】
【図１】図１は、本発明の実施形態に係る集配拠点サーバを用いた充電制御システムを示すブロック図である。
【図２】図２は、図１に示される集配拠点サーバの情報格納部に格納される情報の一例を示す図である。
【図３】図３は、図１に示される集配拠点サーバの情報格納部に格納される情報の一例を示す図である。
【図４】図４は、図１に示される集配拠点サーバの情報格納部に格納される情報の一例を示す図である。
【図５】図５は、図１に示される集配拠点サーバの情報格納部に格納される情報の一例を示す図である。
【図６】図６は、図１に示される充電制御システムにおける処理を説明するためのシーケンス図である。
【図７】図７は、図６における必要蓄電量算出の手順を説明するためのフローチャートである。
【図８】図８は、図１に示される充電制御システムにおける処理を説明するためのシーケンス図である。
【図９】図９は、図１に示される充電制御システムにおける処理を説明するためのシーケンス図である。
【図１０】図１０は、図６及び図９における必要蓄電量算出の手順を説明するためのフローチャートである。
【図１１】図１１は、図１に示される集配拠点サーバの情報格納部に格納される情報の一例を示す図である。
【図１２】図１２は、図６及び図９における必要蓄電量算出の手順を説明するためのフローチャートである。
【図１３】図１３は、図１に示される集配拠点サーバの情報格納部に格納される情報の一例を示す図である。
【発明を実施するための形態】
【００１１】
以下、添付図面を参照しながら本発明の実施形態について説明する。説明の理解を容易にするため、各図面において同一の構成要素に対しては可能な限り同一の符号を付して、重複する説明は省略する。
【００１２】
図１に示される充電制御システム１は、配送車両１０と、集配拠点サーバ２０と、充電装置３０とを備える。集配拠点サーバ２０及び充電装置３０は、配送センタに設置されている。集配拠点サーバ２０は、本発明の充電情報算出装置に相当する。充電装置３０は、配送車両１０に搭載された蓄電池１４を充電する装置である。充電装置３０は、集配拠点サーバ２０から送信される情報に基づいて、蓄電池１４に充電する。尚、図１においては、駆動力、電力、冷媒の授受を実線矢印で示し、情報の授受は破線矢印で示している。
【００１３】
配送車両１０は、配送センタで積み込んだ荷物を指定の配送先に配送する車両である。配送車両１０は、例えば庫内の荷物を低温に維持して配送を行う冷凍車である。配送車両１０は、冷凍庫１１と、冷凍機１２と、エンジン１３と、蓄電池１４と、蓄電池ＥＣＵ（Electronic Control Unit）１５と、通信部１６と、表示部１７と、を備えている。
【００１４】
冷凍庫１１は、冷凍機１２から供給される冷媒によって、庫内に収容された物品を冷蔵保存又は冷凍保存する。冷凍機１２は、冷凍サイクル装置であって、少なくとも圧縮機として、機械式コンプレッサ１２１及び電動式コンプレッサ１２２を備える。冷凍機１２は、これらの他に、冷凍サイクルを構成するための凝縮器、膨張弁、蒸発器を備えている。
【００１５】
機械式コンプレッサ１２１は、エンジン１３の駆動力によって駆動され、冷媒を圧縮する。電動式コンプレッサ１２２は、エンジン１３の停止中に蓄電池１４から供給される電力によって駆動され、冷媒を圧縮する。
【００１６】
蓄電池１４は、例えばリチウムイオン二次電池などの充放電自在な単電池を複数組み合わせた電池モジュールである。蓄電池１４は、電動式コンプレッサ１２２に対して電気的に接続され、電動式コンプレッサ１２２を駆動するための電流を供給する。蓄電池１４は、充電装置３０と接続されることで、充放電を行うことができるように構成されている。
【００１７】
蓄電池ＥＣＵ１５は、入力回路、マイクロコンピュータ、及び出力回路を含んで構成されている。蓄電池ＥＣＵ１５は、蓄電池１４の電池残量を監視する監視手段としての機能を有している。マイクロコンピュータが有する記憶手段には、蓄電池１４の電池残量に関する情報が随時蓄積されている。蓄電池ＥＣＵ１５に蓄積されている電池残量の情報は、通信部１６に出力される。通信部１６に出力された電池残量の情報は、集配拠点サーバ２０に送信される。
【００１８】
表示部１７には、蓄電池ＥＣＵ１５から出力される情報が表示される。表示部１７に表示される情報としては、充電の要否に関する情報が含まれる。
【００１９】
集配拠点サーバ２０は、充電装置３０による蓄電池１４の充電を制御する情報を生成し、充電装置３０に出力するサーバである。集配拠点サーバ２０は、物理的には、ＣＰＵ、メモリ、ハードディスク、ＲＯＭ、ＲＡＭなどを備えたコンピュータシステムである。集配拠点サーバ２０は、機能的には、必要量算出部２１と、通信部２２と、充電判定部２３と、情報格納部２４と、を備えている。集配拠点サーバ２０は、ネットワークを介して配送車両１０及び充電装置３０と相互に情報通信可能に接続されている。
【００２０】
通信部２２は、配送車両１０の通信部１６及び充電装置３０の通信部３４と情報通信を行う部分である。通信部２２は、蓄電池ＥＣＵ１５が把握している蓄電池１４の電池残量に関する情報を受信する。この受信タイミングは、少なくとも配送車両１０の蓄電池１４に充電作業をする前に完了するものであれば特に限定されるものではない。通信部２２は、電池残量に関する情報を受け取ると、当該情報を充電判定部２３に出力する。また、通信部２２は、電池残量に関する情報の出力に応じて充電判定部２３から出力される充電可否の判定結果を受け取り、配送車両１０及び／又は充電装置３０に送信する。
【００２１】
必要量算出部２１は、冷凍庫１１を搭載した配送車両１０を用いて荷物を配送する所定期間において、冷凍庫１１の温度を維持するのに必要な必要電力量を算出する部分である。所定期間とは、配送車両１０が配送拠点から出発して帰着するまでの期間であり、１日、半日等配送状況に応じて適宜定められる。必要電力量とは、所定期間における蓄電池１４の予想使用量であり、情報格納部２４に格納されている情報に基づいて算出される。必要量算出部２１は、配送車両１０を用いた配送に関する情報に基づいて必要電力量を算出する。「配送に関する情報」とは、所定期間における配送先の天候、配送先の階高、配送先に配送される荷物の分量、及び過去に蓄電池１４が放電した放電電力量の少なくとも一つを含む。
【００２２】
図２，３，４，５を参照しながら、情報格納部２４に格納されている情報について説明する。図２に示されるように、情報格納部２４には、配送先の天候情報が格納されている。配送先の天候情報としては、「エリア」「時間帯」「天候」「気温」「日射量」といった情報が含まれる。
【００２３】
図３に示されるように、情報格納部２４には、配送先の階高を含む配送時間情報が格納されている。配送時間情報としては、「配送先コード」「住所」「配送所領時間」といった情報が含まれる。「配送先コード」は、配送先を特定するために付される番号である。
【００２４】
図４に示されるように、情報格納部２４には、配送先に配送される荷物の分量を含む荷物情報が格納されている。荷物情報としては、「荷物コード」「個数」「開閉所要時間」「配送先コード」といった情報が含まれる。「荷物コード」は、荷物を特定するために付される番号である。「開閉所要時間」は、対応する「荷物コード」で特定される荷物を下ろすために冷凍庫１１のドアを開閉する時間である。
【００２５】
図５に示されるように、情報格納部２４には、配送車両１０を含む各配送車両が配送する担当荷物情報が格納されている。担当荷物情報としては、「配送車両コード」「担当荷物コード」といった情報が含まれる。「配送車両コード」は配送車両を特定するためのコードである。
【００２６】
必要量算出部２１が、必要電力量を算出する詳細については後述する。必要量算出部２１は、算出した必要電力量を充電判定部２３に出力する。
【００２７】
充電判定部２３は、冷凍庫１１を冷却する冷凍機１２に電力を供給する蓄電池１４の充放電状態を取得し、蓄電池１４に対する充電の必要性を判定する部分である。充電判定部２３は、蓄電池１４の電池残量が必要電力量よりも少ない場合に蓄電池１４に対する充電が必要だと判定し、蓄電池１４の電池残量が必要電力量以上である場合に蓄電池１４に対する充電が不要だと判定する。充電判定部２３は、蓄電池１４の電池残量が必要電力量よりも少ない場合に、蓄電池１４の電池残量が少なくとも必要電力量を上回るように充電量を決定する。
【００２８】
充電判定部２３は、蓄電池１４の充電要否や充電量を含む情報を通信部２２に出力する。通信部２２は、蓄電池１４の充電要否に関する情報を通信部１６及び／又は通信部３４に送信する。通信部２２は、蓄電池１４の蓄電量に関する情報を通信部３４に送信する。
【００２９】
充電装置３０は、例えば定電流充電方式又は定電圧充電方式で蓄電池１４の充電を行うスタンド型の装置である。充電装置３０は、例えば配送センタにおける配送車両１０の各駐車スペースにそれぞれ配置されている。
【００３０】
充電装置３０は、パワーコンディショナ３１と、充電ＥＣＵ３２と、表示部３３と、通信部３４と、情報格納部３５と、を備えている。充電装置３０は、図示しない操作スイッチや充電ケーブルも備えている。充電ケーブルの先端部には、充電コネクタが取付けられている。配送車両１０側の差込口に充電ケーブルの充電コネクタを差し込んで接続することにより、蓄電池１４の充電が行われる。表示部３３には、蓄電池１４の電池残量及び充電状態などが表示される。充電装置３０には、操作スイッチの操作によって、充電開始及び充電終了時の所定の操作が入力される。
【００３１】
パワーコンディショナ３１は、蓄電池１４に電力を供給する部分である。パワーコンディショナ３１は、充電ＥＣＵ３２によって制御される。パワーコンディショナ３１は、系統電力の電源に電気的に接続され、系統電力を直流電力に変換し、変換した直流電力を蓄電池１４へ充電用の電力として供給する。また、パワーコンディショナ３１は、変換した直流電力を適宜昇圧し、昇圧した直流電力を蓄電池１４へ充電用の電力として供給する。
【００３２】
充電ＥＣＵ３２は、入力回路、マイクロコンピュータ、及び出力回路を備えている。マイクロコンピュータは、各種のデータ、演算結果等を記憶する記憶手段としてのＲＯＭ、ＲＡＭ等を内蔵し、予め設定された制御プログラムや更新可能な制御プログラムに基づいて各処理を実行する。充電ＥＣＵ３２は、パワーコンディショナ３１、表示部３３、通信部３４、及び情報格納部３５に電気的に接続されている。
【００３３】
充電ＥＣＵ３２は、蓄電池ＥＣＵ１５と通信線によって繋がれている。通信線は、充電ケーブル内に設けられている。充電ＥＣＵ３２は、蓄電池ＥＣＵ１５と情報通信を行うことで、蓄電池１４の充電を制御する。
【００３４】
充電装置３０において充電開始の操作がなされると、要求信号が配送車両１０から充電装置３０に送信される。充電装置３０に要求信号が送信されると、充電ＥＣＵ３２は、パワーコンディショナ３１を制御して要求電流に対応した電流を出力させる。これにより、パワーコンディショナ３１からの電流が充電ケーブルを介して配送車両１０側の蓄電池１４に供給される。
【００３５】
充電ＥＣＵ３２は、情報格納部３５に格納されている情報に基づいて、要求信号が送信された対象である蓄電池１４に充電が必要か否かを判断している。上記したように、集配拠点サーバ２０の通信部２２から充電装置３０の通信部３４に向けて、蓄電池１４の充電要否や充電量を含む情報を送信する。通信部３４は、この受信した情報を情報格納部３５に格納する。
【００３６】
続いて、図６を参照しながら、充電制御システム１における情報の授受や情報処理について説明する。ステップＳ１０１では、配送車両１０の蓄電池ＥＣＵ１５が蓄電池１４の充電残量を算出する。ステップＳ１０１に続くステップＳ１０２では、蓄電池ＥＣＵ１５から蓄電池１４の充電残量情報が通信部１６に出力される。通信部１６は、蓄電池１４の充電残量情報を集配拠点サーバ２０の通信部２２に送信する。この送信タイミングは、配送車両１０が前回の配送作業を終了し、配送拠点に戻った時点や、夜間等、適宜設定されるものである。
【００３７】
ステップＳ２０１では、集配拠点サーバの必要量算出部２１が、必要蓄電量を算出する。必要蓄電量は、冷凍庫１１を搭載した配送車両１０を用いて荷物を配送する所定期間において、冷凍庫１１の温度を維持するのに必要な必要電力量に基づいて算出される。詳細な算出手法の一例について図７を参照しながら説明する。
【００３８】
ステップＳ７０１では、必要量算出部２１が、配送先情報・配送先天候情報を取得する。配送先情報・配送先天候情報は、情報格納部２４に格納されている情報である。例えば、配送車両１０の「配送車両コード」が「Ｘ０１０」であるとすると、図５を参照しながら説明したように、「担当荷物コード」が「９８２３４５６７８９」「９８２３４５６７９０」「９８２３４５６７８９」であると特定される。「担当荷物コード」が特定されると、図４を参照しながら説明したように、「配送先コード」がそれぞれ「１００１」「１００２」「１００３」のように特定される。「配送先コード」が特定されると、図３を参照しながら説明したように、配送先の住所が「Ａ市Ａ区２−３  １階」「Ａ市Ａ区２−３  ７階」「Ｂ市Ｂ区４−５  ３０階」のように特定される。配送先の住所が特定されると、図２を参照しながら説明したように、時間帯ごとの天候が特定される。
【００３９】
ステップＳ７０１に続くステップＳ７０２では、必要量算出部２１が、配送先情報・エンジン停止時間情報を取得する。図３を参照しながら説明したように、配送先が決定されると、「配送所要時間」が特定される。この「配送所要時間」がエンジン停止時間となる。
【００４０】
ステップＳ７０２に続くステップＳ７０３では、必要量算出部２１が、配送物情報・冷凍扉開放時間情報を取得する。図４を参照しながら説明したように、「荷物コード」が特定されると、「開閉所要時間」が特定される。この「開閉所要時間」が冷凍扉開放時間となる。
【００４１】
ステップＳ７０３に続くステップＳ７０４では、必要量算出部２１が、エンジン停止時の熱損失を算出する。ステップＳ７０１，Ｓ７０２，Ｓ７０３で取得した情報に基づいて、必要量算出部２１は、各配達先ごとの熱損失を算出する。
【００４２】
ステップＳ７０４に続くステップＳ７０５では、必要量算出部２１は、ステップＳ７０４で算出した熱損失を積算して、所定期間における庫内の冷却に必要な電力量を算出する。
【００４３】
ステップＳ７０５に続くステップＳ７０６では、必要量算出部２１は、蓄電池１４の特性を考慮し、ステップＳ７０５で算出した電力量に対応する蓄電量を算出し、充電判定部２３に出力する。
【００４４】
図６に戻って説明を続ける。ステップＳ２０２において、充電判定部２３は、蓄電池１４の電池残量が、必要蓄電量未満であるか否かを判断する。蓄電池１４の電池残量が必要蓄電量未満であれば、ステップＳ２０３の処理に進む。蓄電池１４の電池残量が必要蓄電量以上であれば、ステップＳ２０４の処理に進む。
【００４５】
ステップＳ２０３では、充電判定部２３は、不足蓄電量を算出する。不足蓄電量は、必要蓄電量から蓄電池１４の電池残量を差し引くことによって求められる。
【００４６】
ステップＳ２０４では、通信部２２は、蓄電要否情報を充電装置３０の通信部３４に送信する。蓄電要否情報は、配送車両１０に搭載されている蓄電池１４に充電が必要であるか否か、必要であるとすればどれくらい充電することが必要であるかを含む情報である。
【００４７】
ステップＳ３０１では、充電装置３０の通信部３４は、受信した蓄電要否情報を情報格納部３５に格納する。
【００４８】
続いて、図７を参照しながら、配送車両１０に対して充電装置３０を用いて充電する場合の処理について説明する。ステップＳ１１１では、配送車両１０の蓄電池ＥＣＵ１５から充電装置３０の充電ＥＣＵ３２に充電要求が送信される。
【００４９】
ステップＳ３１１では、充電ＥＣＵ３２が蓄電池１４に充電が必要であるか否かを、情報格納部３５に格納されている情報に基づいて判断する。蓄電池１４に充電が必要である場合はステップＳ３１２の処理に進み、蓄電池１４に充電が必要でない場合はステップＳ３１３の処理に進む。
【００５０】
ステップＳ３１２では、蓄電池１４に対する充電が実行される。蓄電池１４に対してどの程度充電するかは、充電ＥＣＵ３２が情報格納部３５に格納されている情報に基づいて判断して決定する。
【００５１】
ステップＳ３１３では、充電ＥＣＵ３２が、充電情報を生成する。ステップＳ３１１の判断において、「蓄電池１４には充電が不要である」と判断した場合には、充電情報にその旨の内容が含まれる。ステップＳ３１１の判断において、「蓄電池１４には充電が必要である」と判断した場合には、充電情報にはその旨の情報と「２０％追加充電した」といった充電量を示す情報とが含まれる。充電ＥＣＵ３２は、生成した充電情報を表示部３３に出力すると共に蓄電池ＥＣＵ１５に送信する。
【００５２】
ステップＳ３１４では、表示部３３が充電情報を表示する。ステップＳ１１２では、蓄電池ＥＣＵ１５が充電情報を表示部１７に出力し、表示部１７が充電情報を表示する。
【００５３】
上記したように本実施形態では、必要量算出部２１が配送車両を用いた配送に関する情報に基づいて、所定期間内において冷凍庫１１の温度を維持するのに必要となる必要電力量を算出するので、所定期間内の配送状況に応じた必要電力量を算出することができる。充電判定部２３は、このように配送状況に応じて算出された必要電力量と蓄電池１４の電池残量との差分に基づいて蓄電池充電の必要性を判定するので、所定期間内に使用されると推定される電力量に応じた蓄電池充電の必要性判定が可能となる。
【００５４】
充電判定部２３は、蓄電池１４の電池残量が必要電力量よりも少ない場合に蓄電池１４に対する充電が必要だと判定し、蓄電池１４の電池残量が必要電力量以上である場合に蓄電池１４に対する充電が不要だと判定している。蓄電池１４の電池残量が必要電力量以上か否かによって充電要否を決定しているので、必要電力量を満たさないと推定される場合のみ充電することができ、無用な充電を減らすことができる。
【００５５】
充電判定部２３は、蓄電池１４の電池残量が必要電力量よりも少ない場合に、蓄電池１４の電池残量が少なくとも必要電力量を上回るように充電量を決定している。蓄電池１４に充電が必要であると判断した場合であっても、必要電力量を上回るように充電量を決定しているので、過剰な充電を減らすことができる。
【００５６】
必要量算出部２１は、配送車両１０の駆動力源であるエンジン１３が停止されている間における冷凍庫１１の熱損失を算出することで必要電力量を算出している。配送車両１０においては、エンジン１３が駆動中であれば機械式コンプレッサ１２１を駆動させることができるので、蓄電池１４が電動式コンプレッサ１２２を駆動するのはエンジン１３が停止されている間である。従って、エンジン１３が停止中における冷凍庫１１の熱損失を算出することで、より正確な充電量を算出することができる。
【００５７】
必要量算出部２１は、冷凍庫１１の熱損失分を補って冷凍庫１１内を冷却するのに必要な電力量を必要電力量としている。冷凍庫１１の熱損失分を補うために蓄電池１４が消費する電力量を充電量としているので、より正確な充電量を算出することができる。
【００５８】
通信部２２は、配送車両１０ごとにおける蓄電池充電の必要性判定結果を配送車両に関連付けて充電装置３０に出力している。配送車両１０が複数台あっても、それぞれに搭載されている蓄電池１４の充電状態に応じた充電可否判断及び充電量の設定が可能となる。
【００５９】
続いて、図９を参照しながら変形例に係る処理フローについて説明する。図６を参照しながら説明した処理フローと異なっているのは、ステップＳ２０４の処理内容と、それに伴って追加されたステップＳ１０３の処理である。
【００６０】
図９におけるステップＳ２０４では、通信部２２は、蓄電要否情報を充電装置３０の通信部３４に送信すると共に、配送車両１０の通信部１６にも蓄電要否情報を送信する。
【００６１】
ステップＳ１０３では、通信部１６が蓄電池ＥＣＵ１５に蓄電要否情報を出力する。蓄電池ＥＣＵ１５は、表示部１７に蓄電要否情報を表示させる。通信部２２は、必要性の判定結果である蓄電要否情報を配送車両１０に送信し、配送車両１０において表示部１７に表示するので、配送車両１０に乗務するドライバーが蓄電の必要性を視認することができ、手動操作での充電が可能となる。
【００６２】
続いて、図１０及び図１１を参照しながら、図６及び図９におけるステップＳ２０１の処理の変形例について説明する。図１０に示されるように、ステップＳ７１１では、必要量算出部２１が、配送先情報・配送先天候情報を取得する。配送先情報・配送先天候情報は、情報格納部２４に格納されている情報である。情報格納部２４に格納されている天候情報の一例を図１１に示す。図１１に示されるように、配送日における配送先の天候情報のみが格納され、天候情報と必要蓄電量とを関連付けた判断テーブルが予め格納されている。
【００６３】
図１１に示す例では、気温及び日射量に対する必要蓄電量が予め関連付けられて設定されている。例えば気温が１０℃である場合、日射量が３００Ｗ／ｍｍ2未満であれば必要蓄電量は３０％、日射量が３００Ｗ／ｍｍ2以上５００Ｗ／ｍｍ2未満であれば必要蓄電量は４０％、日射量が５００Ｗ／ｍｍ2以上１０００Ｗ／ｍｍ2未満であれば必要蓄電量は４５％、日射量が１０００Ｗ／ｍｍ2以上であれば必要蓄電量は５０％と設定されている。また、例えば気温が２０℃である場合、日射量が３００Ｗ／ｍｍ2未満であれば必要蓄電量は４０％、日射量が３００Ｗ／ｍｍ2以上５００Ｗ／ｍｍ2未満であれば必要蓄電量は４５％、日射量が５００Ｗ／ｍｍ2以上１０００Ｗ／ｍｍ2未満であれば必要蓄電量は５０％、日射量が１０００Ｗ／ｍｍ2以上であれば必要蓄電量は５５％と設定されている。
【００６４】
ステップＳ７１１に続くステップＳ７１２では、必要量算出部２１が図１１に例示した配送先の天候情報に基づいて必要蓄電量を算出する。このように簡易に必要蓄電量を算出することができるので、個別の荷物情報といった情報を加味せずとも必要蓄電量を算出することができる。
【００６５】
続いて、図１２及び図１３を参照しながら、図６及び図９におけるステップＳ２０１の処理の変形例について説明する。図１２に示されるように、ステップＳ７２１では、必要量算出部２１が、直近期間における蓄電池１４の最大放電電力量を取得する。ステップＳ７２１に続くステップＳ７２２では、必要量算出部２１が、前年同日における蓄電池１４の放電電力量を取得する。直近期間における最大放電電力量及び前年同日における放電電力量は、情報格納部２４に格納されている。
【００６６】
情報格納部２４に格納されている情報の一例を図１３に示す。図１３に観されるように、直近期間における放電電力量として、Ｘ１，Ｘ２，Ｘ３，Ｘ４，Ｘ５が格納されている。この中で最大放電電力量は、４日前のＸ２である。前年同日の放電電力量はＹである。
【００６７】
ステップＳ７２２に続くステップＳ７２３では、直近期間における最大放電電力量及び前年同日における放電電力量の大きい方を蓄電池１４に蓄電すべき蓄電量として算出する。図１３に示す例であれば、直近最大放電電力量Ｘ２が前年同日放電電力量Ｙよりも大きいので、Ｘ２に相当する電力量Ｄを蓄電量として算出する。このように過去の実績に基づいて必要蓄電量を算出するので、簡易に配送地域の実情や配送車両の実情に即した必要電力量の算出を行うことができる。このように季節や過去の実績に応じた充電が可能となるので、毎日同じように満充電する必要が無い。
【００６８】
以上、具体例を参照しつつ本発明の実施の形態について説明した。しかし、本発明はこれらの具体例に限定されるものではない。これら具体例に、当業者が適宜設計変更を加えたものも、本発明の特徴を備えている限り、本発明の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【００６９】
２０：集配拠点サーバ
１０：配送車両
１１：冷凍庫
１４：蓄電池
２１：必要量算出部
２２：通信部
２３：充電判定部
【図１】
2017068946.tif 000003
【図２】
2017068946.tif 000004
【図３】
2017068946.tif 000005
【図４】
2017068946.tif 000006
【図５】
2017068946.tif 000007
【図６】
2017068946.tif 000008
【図７】
2017068946.tif 000009
【図８】
2017068946.tif 000010
【図９】
2017068946.tif 000011
【図１０】
2017068946.tif 000012
【図１１】
2017068946.tif 000013
【図１２】
2017068946.tif 000014
【図１３】
2017068946.tif 000015